(57)【要約】  【課題】  日除け部材の昇降を操作する昇降チェーンを簡易な方法で日除け部材の表面から離れた位置に垂下されるように案内する。  【解決手段】  ヘッドユニット３内に配置した巻上げ軸２の一端に軸支した回転部材５に昇降チェーン７を巻回し、昇降チェーン７の操作によって巻上げ軸２に巻回された昇降コード１３を巻き上げ又は繰り出しし、それによって日除け部材１を昇降させる日除け部材の昇降装置において、回転部材５の取り付け位置よりも室内側に位置する所定箇所に補助プーリー１０を配置し、回転部材５に巻回した昇降チェーンを補助プーリー１０によって案内することにより、日除け部材１の表面から所定の距離を隔てた室内側に昇降チェーン７を垂下させたことを特徴とする。  【選択図】  図１
2010112062.tif 000002
【特許請求の範囲】
【請求項１】
ヘッドユニット内に配置した巻上げ軸の一端に軸支した回転部材に昇降チェーンを巻回し、当該昇降チェーンの操作によって前記巻上げ軸に巻回された昇降コードを巻き上げ又は繰り出しし、それによって日除け部材を昇降させる昇降チェーンの案内機構において、
前記回転部材の取り付け位置よりも室内側に位置する所定箇所に補助プーリーを配置し、前記回転部材に巻回した昇降チェーンを前記補助プーリーによって案内することにより、前記日除け部材の表面から所定の距離を隔てた室内側に当該昇降チェーンを垂下させたことを特徴とする昇降チェーンの案内機構。
【請求項２】
前記補助プーリーは、前記ヘッドユニットの端部に取り付けられた側板に軸支された前記回転部材の取り付け位置よりも下方、且つ、室内側の位置であって、前記回転部材と接触することがない位置の前記側板に配置されていることを特徴とする請求項１に記載の昇降チェーンの案内機構。
【請求項３】
前記昇降チェーンは、所定間隔で複数の球体を連設したボールチェーンであり、前記回転部材の外周に前記ボールチェーンの球体と噛合する複数の溝を穿設したことを特徴とする請求項１又は請求項２に記載の昇降チェーンの案内機構。
【発明の詳細な説明】
【技術分野】
【０００１】
本発明は、窓枠に装着するロールスクリーン、プリーツスクリーン、ローマンシェードなどの日除け部材を昇降させるための昇降チェーンを案内する昇降チェーンの案内機構に関する。
【背景技術】
【０００２】
窓枠に設置したロールスクリーン、プリーツスクリーン、ローマンシェードなどの日除け部材の昇降は、一般に、ヘッドユニット内に配設された巻上げ軸の片側に取り付けた回転部材を、当該回転部材に巻回された昇降チェーン又は昇降紐を使用者が操作することによって回転させ、それによって昇降コードを巻き取ったり又は昇降コードを巻上げ軸から昇降コードを繰り出すことによって行っている。
【０００３】
具体的には、例えば、特許文献１に記載されるようなプリーツスクリーンを下側から折り畳んで引き揚げるスクリーン操作装置がある。この特許文献１に記載のスクリーン操作装置は、スクリーン本体を上げ下げする滑車体を軸支したカバーに、この滑車体と並列し、この滑車体に噛合う別の滑車体を設け、両滑車体を操作鎖に噛合せしめ、この操作鎖を操作する位置が操作角調整部材によってスクリーン本体の位置から手前側に位置するようにしてスクリーン本体から操作鎖を隔てるようにしたものである。
【０００４】
【特許文献１】特開２００７−１２６９０１号公報  第１頁、図２
【発明の開示】
【発明が解決しようとする課題】
【０００５】
ところで、ヘッドユニットから垂れ下がる操作鎖がスクリーン本体と干渉することは好ましくないことから、特許文献１に示されたスクリーン操作装置では、操作鎖の垂れ下がる位置をスクリーン本体より手前側に位置させるために巻上げ軸に係合する滑車体を軸支したカバーに操作角調整部材を取り付けてカバーの位置を規制すると共に、カバーに軸支した二つの滑車体を並列して構成している。
【０００６】
しかし、このようなカバーの位置規制部材や二つの滑車体の係合位置を調整しなければならないというのは機構上煩雑であり、もっと簡易な構成で同様の機能を発揮することができる昇降チェーンの案内機構が望まれていた。
【０００７】
そこで、本発明は、従来のような煩雑な機構ではなく、簡易な機構で操作鎖（昇降チェーン）の垂れ下がる位置をスクリーン本体（日除け部材）より手前側に位置させるための昇降チェーンの案内機構を提供することを目的とする。具体的には、回転体のカバーにカバーの位置規制部材を配置すること無く、簡易な方法で昇降チェーンの操作部材を日除け部材か離れた位置に設定できる昇降チェーンの案内機構を提供することを目的とする。
【課題を解決するための手段】
【０００８】
上記課題を解決するため請求項１に記載の発明は、ヘッドユニット内に配置した巻上げ軸の一端に軸支した回転部材に昇降チェーンを巻回し、昇降チェーンの操作によって巻上げ軸に巻回された昇降コードを巻き上げ又は繰り出しし、それによって日除け部材を昇降させる日除け部材の昇降装置において、回転部材の取り付け位置よりも室内側に位置する所定箇所に補助プーリーを配置し、回転部材に巻回した昇降チェーンを補助プーリーによって案内することにより、日除け部材の表面から所定の距離を隔てた室内側に昇降チェーンを垂下させたことを特徴とする。
【０００９】
上記課題を解決するため請求項２に記載の発明は、請求項１に記載の昇降チェーンの案内機構において、補助プーリーは、ヘッドユニットの端部に取り付けられた側板に軸支された回転部材の取り付け位置よりも下方、且つ、室内側の位置であって、回転部材と接触することがない位置の側板に配置されていることを特徴とする。
【００１０】
上記課題を解決するため請求項３に記載の発明は、請求項１又は請求項２に記載の昇降チェーンの案内機構において、昇降チェーンは、所定間隔で複数の球体を連設したボールチェーンであり、回転部材の外周にボールチェーンの球体と噛合する複数の溝を穿設したことを特徴とする。
【００１１】
本発明に係る昇降チェーンの案内機構は、ロールスクリーン、プリーツスクリーンやロールブラインド等の日除け部材に使用することができ、ヘッドユニット内に配置した巻上げ軸の一端に軸支した回転部材に昇降チェーンを巻回し、当該昇降チェーンを操作することによって昇降コードを巻上げ軸に巻き付け又は昇降コードを繰り出しし、それによって日除け部材を昇降させる日除け部材の昇降装置において、回転部材の取り付け位置より室内側に補助プーリーを設けることによって日除け部材の表面から離れた室内側の位置に昇降チェーン位置させる。また、この補助プーリーは回転部材とは接触しておらず、従って、この補助プーリーは昇降チェーンの移動に伴って回転する。
【発明の効果】
【００１２】
本発明に係る昇降チェーンの案内機構によれば、ヘッドユニットの側板内にに配設された回転部材から室内側方向に離れた位置に配置した補助プーリーによって昇降チェーンを案内するようにしたので回転部材との係合位置などの調整を必要とせず、簡易な機構でありながら昇降チェーンを日除け部材の表面よりも室内側へ移動させた位置に垂下させることができるという効果がある。
【００１３】
また、本発明に係る昇降チェーンの案内機構によれば、ヘッドユニットの側板内にフリーに回転する補助プーリーを配置したので、回転部材の回転が円滑に行われるという効果がある。しかも、補助プーリーによって昇降チェーンの操作位置が日除け部材によって邪魔されずに操作ができるという効果がある。
【発明を実施するための最良の形態】
【００１４】
以下、本発明に係る昇降チェーンの案内機構の一実施形態を図面に基づいて詳細に説明する。図１は本発明に係る昇降チェーンの案内機構の構造を示す概要図、図２はヘッドユニットの側板内の要部を示す断面図、図３は図１の日除け部材を垂れ下げた状態を示す側面図、図４は図３の正面図である。
【００１５】
はじめに、本発明に係る昇降チェーンの案内機構は、図４に示すような日除け部材１としてのプリーツスクリーンに設けられる。もちろん、ロールスクリーン、プリーツスクリーン、ローマンシェードなどの他の日除け部材にも適用可能であることはいうまでもない。
【００１６】
図示された日除け部材１は、蛇腹状の折り目が形成されたプリーツスクリーンであり、その上端縁は取付具１４、１４を備えたヘッドユニット３に固着されると共に、下端縁は錘としてのボトムユニット１２に固着されている。そして、ヘッドユニット３の内部には長手方向に沿って巻上げ軸２が回動可能に内装されており、この巻上げ軸２に２本の昇降コード１３、１３の上端側がそれぞれ巻き付けられていると共に、昇降コード１３、１３の下端側はボトムユニット１２に固定されている。また、巻上げ軸２の一方側の端部には、巻上げ軸２を駆動する回転部材５が取り付けられており、回転部材５の回転軸となる軸棒６ａは、巻上げ軸２の回転中心と連結されていると共に、後述する側板４に軸受けされた状態となっている。そして、回転部材５の外周には、多数のボール８を所定間隔で連設した昇降チェーン７のボール８が嵌合する複数の溝５ａが形成されている。
【００１７】
側板４は、ヘッドユニット３の両端に取り付けられる部材であり、側板４には回転部材５の軸棒６ａの軸受となる貫通孔４ａが穿設されている。また、側板４には、図１に示すように、回転部材５の取り付け位置よりも下方側で、且つ、室内側の位置に補助プーリー１０の軸棒６ｂを取り付けるための軸孔４ｂが穿設されている。尚、軸孔４ｂの形成位置は、回転部材５の外周と補助プーリー１０の外周とが接触しない位置に離れて設定してある。そして、回転部材５と補助プーリー１０との外周にチェーン７が取り付けられている。このように、補助プーリー１０によって昇降チェーン７の垂れ下がる位置が日除け部材１の表面よりも手前側（室内側）に誘導されるので、昇降チェーン７が日除け部材１と干渉することが防止することができ、使用者は日除け部材１の昇降操作を容易に行うことができる。また、側板４には、蓋体４ｃが内部機能のカバーとして取り付けられるようになっている。尚、回転部材５及び補助プーリー１０を備えた側板４が設けられたヘッドユニット３の端部側とは反対側のヘッドユニット３の端部にも巻上げ軸２を軸支する図示しない側板が設けられている。
【００１８】
補助プーリー１０は、回転部材５と異なり、昇降チェーン７を室内側へ案内するだけでよいのでボール８を嵌合する溝５ａは特に設けなくとも良い。そのため補助プーリー１０の外周は昇降チェーン７のボール８を円滑に案内するように滑面となっている。ここで、側板４の内部には回転部材５と補助プーリー１０の外周に沿って移動するチェーン７が回転部材５と補助プーリー１０から外れないように案内する案内壁１１が設けられている。案内壁１１は、回転部材５と補助プーリー１０の外周形状に即して形成されており、補助プーリー１０の上部側から回転部材５の外周近傍を通り、補助プーリー１０の下側近傍に張り出すようにして形成されている。
【００１９】
これにより、本発明に係る昇降チェーンの案内機構は、図３に示すように、回転部材５と補助プーリー１０によって案内された昇降チェーン７の垂れ下がる位置は、日除け部材１の表面から手前側（室内側）に所定間隔離れて位置することになる。
【００２０】
次に、昇降チェーンの案内機構の動作について説明する。まず、ヘッドユニット３の一方側の側板４に軸支された回転部材５を駆動する昇降チェーン７を操作して回転部材５を回転させて巻上げ軸２を回転させる。それによって巻上げ軸２に取り付けられた昇降コード１３が巻き上げられたり、繰り出されたりして日除け部材１が昇降する。このとき、回転部材５の外周に噛合して移動する昇降チェーン７は、補助プーリー１０によって案内されて回転部材５の直下の位置から室内側に移動して垂れ下がっているので、日除け部材１の表面からは一定の間隔が保持されている。そのため、日除け部材１が昇降チェーン７の操作の邪魔になることはない。
【００２１】
以上のように、本発明の好ましい実施例について詳述したが、本発明は係る特定の実施形態に限定されるものではなく、特許請求の範囲に記載された本発明の要旨の範囲内において、種々の変形・変更が可能であることはいうまでもない。
【図面の簡単な説明】
【００２２】
【図１】本発明に係る昇降チェーンの案内機構の概要を示す正面図である。
【図２】図１の昇降チェーンの案内機構の一部正面断面図である。
【図３】日除け部材と昇降チェーンとの関係を示す側面図である。
【図４】図３の正面図である。
【符号の説明】
【００２３】
１      日除け部材
２      巻上げ軸
３      ヘッドユニット
４      側板
４ａ      貫通孔
４ｂ      軸孔
４ｃ      蓋体
５    回転部材
５ａ    溝
６ａ    軸棒
６ｂ    軸棒
７    昇降チェーン
８    ボール
１０    補助プーリー
１１    案内壁
１２    ボトムユニット
１３    昇降コード
１４    取付具
【図１】
2010112062.tif 000003
【図２】
2010112062.tif 000004
【図３】
2010112062.tif 000005
【図４】
2010112062.tif 000006